(57)【特許請求の範囲】
【請求項１】
一方の管体端部に支持された外側継手部材内に他方の管体端部に支持された内側継手部材が挿入され、該内側継手部材の先端部を前記外側継手部材の内周面に固定された止水材に当接させて前記内外両継手部材間を止水するようにしてなる管継手の止水構造において、
前記外側継手部材は、該外側継手部材の内周部に支持されて内面側に立ち上げられた環状の止水材受け部を有する止水補助部材を備え、前記止水材を前記止水材受け部の内側継手部材の挿入方向手前側に配置し、前記両継手部材の嵌合時に、前記止水材が内側継手部材の先端部にて止水受け部材側に押し付けられるようにしたことを特徴としてなる管継手の止水構造。
【請求項２】
前記止水補助部材は、前記止水材受け部の内縁部より連結方向相手管側に向けて折り曲げた配置の筒状をした変形抑制部を有し、該変形抑制部が前記止水材の内側に配置されるようにした請求項１に記載の管継手の止水構造。
【請求項３】
前記止水補助部材は、前記止水材受け部の外縁部より連結方向相手管側に向けて折り曲げた配置の筒状をした外側管部を有し、該外側管部の内周面に前記止水材を固定させた請求項１又は２に記載の管継手の止水構造。
【請求項４】
前記止水材受け部は、円形断面が周方向に連続して環状を成すように形成された請求項１に記載の管継手の止水構造。
【発明の詳細な説明】
【技術分野】
【０００１】
本発明は、主にパイプルーフ工法用のパイプや杭又は水道管等に使用される鋼管を互いに連結する管継手の止水構造に関する。
【背景技術】
【０００２】
従来、この種の管継手においては、互いに連結される鋼管の一方の端部に支持された外側継手部材内に他方の鋼管の端部に支持された内側継手部材を挿入し、両継手部材を固定用ピン等の固定用部材により固定して鋼管の端部間を連結する構造のものが知られている（例えば、特許文献１）。
【０００３】
このような管継手においては、例えば図１２に示すように、外側継手部材１００の内側面にリング状の止水材１０１を固定しておき、外側継手部材１００内に挿入された内側継手部材１０２の先端部を止水材１０１に当接させて内外両継手部材間の止水を行う。尚、図中符号１０３は止水材固定用溝である（特許文献２）。
【先行技術文献】
【特許文献】
【０００４】
【特許文献１】特開２００５−４８５８３号公報
【特許文献２】実開昭５９−１５２２８９号公報
【発明の概要】
【発明が解決しようとする課題】
【０００５】
しかしながら上述の如き従来の技術では、水圧や内側継手部材による押圧に対抗するために外側継手部材の内周面に止水材１０１を固定する為の溝１０３を形成する必要があり、その加工費にコストが嵩むという問題がある。
【０００６】
また、上述した従来の管継手は、外側継手部材１００と内側継手部材１０２との間に止水材１０１を取り付ける構造であるため、両継手部材１００，１０２の嵌合時に止水材１０１が噛んで嵌め込みにくく、場合によっては両継手部材の嵌合時に止水材１０１がずれてしまい、充分に止水機能を発揮しない虞があった。更に、鋼管の外側より止水材１０１に高い水圧が加わると、止水材が外側継手部材より剥がれてしまったり、想定外の変形をしてしまったりして止水効果に支障をきたす虞があるという問題があった。
【０００７】
本発明は、このような従来の問題に鑑み、止水材の意図しない変形を抑制し、安定した止水効果が得られる管継手の止水構造の提供を目的としてなされたものである。
【課題を解決するための手段】
【０００８】
上述の如き従来の問題を解決し、所期の目的を達成するための請求項1に記載の発明の特徴は、一方の管体端部に支持された外側継手部材内に他方の管体端部に支持された内側継手部材が挿入され、該内側継手部材の先端部を前記外側継手部材の内周面に固定された止水材に当接させて前記内外両継手部材間を止水するようにしてなる管継手の止水構造において、前記外側継手部材は、該外側継手部材の内周部に支持されて内面側に立ち上げられた環状の止水材受け部を有する止水補助部材を備え、前記止水材を前記止水材受け部の内側継手部材の挿入方向手前側に配置し、前記両継手部材の嵌合時に、前記止水材が内側継手部材の先端部にて止水受け部材側に押し付けられるようにしたことにある。
【０００９】
請求項２に記載の発明の特徴は、請求項１に記載の構成に加え、前記止水補助部材は、前記止水材受け部の内縁部より内側継手部材側に向けて折り曲げた配置の筒状をした変形抑制部を有し、該変形抑制部が前記止水材の内側に配置されるようにしたことにある。
【００１０】
請求項３に記載の発明の特徴は、請求項１又は２の構成に加え、前記止水補助部材は、前記止水材受け部の外縁部より連結方向相手管側に向けて折り曲げた配置の筒状をした外側管部を有し、該外側管部の内周面に前記止水材を固定させたことにある。
【００１１】
請求項４に記載の発明の特徴は、請求項１の構成に加え、前記止水材受け部は、円形断面が周方向に連続して環状を成すように形成されたことにある。
【発明の効果】
【００１２】
本発明に係る管継手の止水構造は、上述したように、一方の管体端部に支持された外側継手部材内に他方の管体端部に支持された内側継手部材が挿入され、該内側継手部材の先端部を前記外側継手部材の内周面に固定された止水材に当接させて前記内外両継手部材間を止水するようにしてなる管継手の止水構造において、前記外側継手部材は、該外側継手部材の内周部に支持されて内面側に立ち上げられた環状の止水材受け部を有する止水補助部材を備え、前記止水材を前記止水材受け部の内側継手部材の挿入方向手前側に配置し、前記両継手部材の嵌合時に、前記止水材が内側継手部材の先端部にて止水受け部材側に押し付けられるようにしたことにより、水圧及び内側継手部材の押圧による止水材の移動を抑制し、内側継手部材と止水材とが安定した接触状態を維持して好適な止水効果が得られる。また、止水材を固定するための溝が不要となり、その加工費が不要となる。
【００１３】
また、本発明において、前記止水補助部材は、前記止水材受け部の内縁部より内側継手部材側に向けて折り曲げた配置の筒状をした変形抑制部を有し、該変形抑制部が前記止水材の内側に配置されるようにしたことにより、止水材の意図しない移動及び変形を好適に抑制することができる。
【図面の簡単な説明】
【００１４】
【図１】本発明に係る管継手の止水構造を用いた管継手の第一実施例を示す側面図である。
【図２】同上の縦断面図である。
【図３】同上の横断面図である。
【図４】図２中の外側継手部材の止水構造部分を示す部分拡大断面図である。
【図５】同上の外側継手部材内に内側継手部材を嵌合させた状態を示す部分拡大断面図である。
【図６】本発明に係る管継手の第二実施例の外側継手部材の止水構造部分を示す部分拡大断面図である。
【図７】同上の外側継手部材内に内側継手部材を嵌合させた状態を示す部分拡大断面図である。
【図８】本発明に係る管継手の第三実施例の外側継手部材の止水構造部分を示す部分拡大断面図である。
【図９】同上の外側継手部材内に内側継手部材を嵌合させた状態を示す部分拡大断面図である。
【図１０】本発明に係る管継手の第四実施例の外側継手部材の止水構造部分を示す部分拡大断面図である。
【図１１】同上の外側継手部材内に内側継手部材を嵌合させた状態を示す部分拡大断面図である。
【図１２】従来の管継手の止水構造部分の一例を示す部分拡大断面図である。
【発明を実施するための形態】
【００１５】
次に、本発明に係る管継手の止水構造の実施の態様を図面に示した実施例に基づいて説明する。尚、図中符号１は鋼管である。
【００１６】
各鋼管１，１は、円筒状に形成され、連続する鋼管１，１の互いに対向する端部間を管継手２により連結されている。
【００１７】
管継手２は、図２，３に示すように、一方の鋼管１の端部に支持された外側継手部材３と、他方の鋼管の端部に支持された内側継手部材４とをもって構成され、外側継手部材３内に内側継手部材４を挿入し、外内両継手部材３，４間を固定部材５，５...により固定することにより両鋼管１，１が連結されるようになっている。
【００１８】
外内両側継手部材３，４には、それぞれその周方向に間隔を置いて貫通孔６，７が形成され、両貫通孔６，７に固定部材５を貫通させ、固定部材５の両端を外側継手部材外周面及び内側継手部材内周面にそれぞれ定着させることにより両継手部材３，４が固定されるようになっている。尚、固定部材５の定着部に図示しないパッキン等の止水材を噛ませる等して貫通孔６，７には止水がなされている。
【００１９】
外側継手部材３は、鋼材をもって円筒状に形成され、一方の端面を鋼管１の端面に突き合わせた配置に溶接により鋼管端部に固定されている。尚、外側継手部材３の内径は、鋼管１の内径より小さく形成されている。
【００２０】
また、外側継手部材３の鋼管１との接合部分内側面には、リング状の止水材８がその外周面８ａを外側継手部材３の内周面に接着剤等により貼着することにより固定されている。
【００２１】
止水材８は、ゴム材等の弾性素材をもって形成され、例えば図４に示すように内側継手部材側にテーパ部８ｂを有する形状に形成され、このテーパ部８ｂが内側継手部材４の先端部に押圧されて弾性的に当接し、外内両側継手部材３，４間が止水されるようになっている。
【００２２】
また、この外側継手部材３は、内部に止水補強部材９が固定され、水圧及び内側継手部材４の押圧による止水材８の意図しない変形や脱落を防止するようになっている。
【００２３】
止水補強部材９は、鋼材をもって一体に形成され、円筒状の変形抑制部９ａと、平板環状をなし、外側継手部材３の内周面に支持され、その内面側に立ち上げた止水材受け部９ｂとをもって構成され、変形抑制部９ａが止水材受け部９ｂの内縁部より連結方向相手管側に向けて折り曲げた形状、即ちＬ字型の断面が周方向に連続した形状となっている。
【００２４】
この止水補強部材９は、変形抑制部９ａが止水材８の内側に配置され、且つ止水材受け部９ｂが止水材８の内側継手部材挿入方向奥側、即ち外側継手部材と鋼管との接合部側に配置され、止水材受け部９ｂの外周縁を外側継手部材３の内周面に溶接にすることにより外側継手部材３内に固定されている。
【００２５】
内側継手部材４は、外側継手部材３内に挿入される縮径部４ａを有する段付き筒状に形成され、端部が鋼管１端部に溶接により固定されている。
【００２６】
また、内側継手部材４の先端部には、外周より内周先端側に向けて傾斜したテーパ面４ｂが形成されており、内側継手部材４（縮径部４ａ）が外側継手部材３内に嵌合された際に、内側継手部材の先端のテーパ面４ｂで止水材８を押圧し、止水受け部材９ｂ側に押し付けられるようになっている。
【００２７】
このように構成された管継手２の止水構造では、外側継手部材３内に内側継手部材４の縮径部４ａを挿入すると、図５に示すように、内側継手部材先端部が外側継手部材３と止水補強部材８とに囲まれた溝部１０に嵌り込み、内側継手部材４の先端部が止水材８のテーパ部８ｂに弾性的に当接するようになっている。
【００２８】
このとき、止水補強部材９の止水材受け部９ｂが止水材８の挿入方向奥側縁部を支持することで水圧及び内側継手部材４による内側継手部材挿入方向の押圧に対抗でき、止水材８が外側継手部材３の内側面より剥がれるのを防止できるようになっている。
【００２９】
また、止水材８が止水補助部材９により囲まれているので、水圧及び内側継手部材４による意図しない方向に止水材８が変形するのを抑制することができ、止水材８と内側継手部材４との間の接触を安定した状態に維持することができ、止水効果に支障を来すことを防止することができる。
【００３０】
尚、上述の実施例では、止水補助部材を環状の止水材受け部９ｂと、止水材受け部９ｂの内縁より連結方向相手管側に向けて折り曲げた配置の筒状をした変形抑制部９ａとを以てＬ字型断面が周方向に連続した形状に形成した例について説明したが、止水補助部材は、図６、図７に示すように、変形抑制部９ａを有さず止水材受け部９ｂのみで構成したものであってもよい。
【００３１】
また、止水補助部材は、上述した止水材受け部９ｂ、変形抑制部９ａの構成に加え、図８、図９に示すように、止水材受け部９ｂの外縁部より連結方向相手管側に折り曲げた形状の筒状をした外側管部９ｃを備え、コ字型断面が周方向に連続した形状のものであってもよい。
【００３２】
この場合、外側管部９ｃの外周面を外側継手部材３の内側面に溶接等により固定するとともに、止水材８を外側管部９ｃの内側面に固定する。
【００３３】
更に、止水補助部材１１は、図１０、図１１に示すように、止水材受け部が円形断面が周方向に連続して環状をなすように形成してもよい。
【００３４】
尚、上述の実施例では、鋼管及び管継手が円筒状の場合について説明したが、角筒状その他多角形筒状に形成されたものであってもよい。
【００３５】
また、上述の実施例では、管体として鋼管を用いた例について説明したが、ヒューム管等のコンクリート管等であってもよい。
【符号の説明】
【００３６】
１  鋼管
２  管継手
３  外側継手部材
４  内側継手部材
４ａ  テーパ面
５  固定部材
６，７  貫通孔
８  止水材
９  止水補助部材
１０  溝部
【図１】
0005713259.tif 000002
【図２】
0005713259.tif 000003
【図３】
0005713259.tif 000004
【図４】
0005713259.tif 000005
【図５】
0005713259.tif 000006
【図６】
0005713259.tif 000007
【図７】
0005713259.tif 000008
【図８】
0005713259.tif 000009
【図９】
0005713259.tif 000010
【図１０】
0005713259.tif 000011
【図１１】
0005713259.tif 000012
【図１２】
0005713259.tif 000013